(57)【要約】      （修正有）【課題】簡易な構成で内部圧力の変動に対応できる圧力対応容器を提供する。【解決手段】有底筒状の容器2の底部4内面に、容器内の圧力変動に応じて中央部分が移動するようにインモールド成形によりラベル6を設けた。移動部分には、底部4に形成された空気孔8を介して空気が出入りし、例えば減圧した場合には移動部分が容器内に引き込まれ、逆に圧力が上昇した場合には押し出される。これにより、容器内部の圧力変動に対して、ラベル6と底部4の間に形成された空間により容器外観になんら変化をもたらすことなく対応できる。【選択図】図１
2005313973.tif 000002
【特許請求の範囲】
【請求項１】
有底筒状の容器底部内面に、一部を剥離可能にしたラベルをインモールド成形により設け、該剥離可能部分を容器内の圧力に応じて変位可能としたことを特徴とする圧力対応容器。
【請求項２】
ラベル中央部分を剥離可能とし、該剥離可能部分に底部に設けた空気孔を連通させた請求項１に記載の圧力対応容器。
【請求項３】
ラベルの剥離可能部分を予め底部から剥離させ、形成された空間内に空気孔を連通させた請求項１に記載の圧力対応容器。
【請求項４】
下向きに突出した球面状に容器底部を成形した請求項１〜３のいずれか１項に記載の圧力対応容器。
【請求項５】
ラベルの記載内容を容器外部に表示可能に透明樹脂で成形した請求項１〜４のいずれか１項に記載の圧力対応容器。
【発明の詳細な説明】
【技術分野】
【０００１】
本発明は、密封した後容器内部に生じる圧力変動に対応し、外観に変化をもたらすことなく容器内部の圧力を平常に保持することができる圧力対応容器に関する。
【背景技術】
【０００２】
内容物を加熱した状態で容器に密封したり、密封した容器を殺菌などのため加熱した場合、その後容器温度が低下すると、内容物の容量減少や、容器内での水蒸気の凝固等により容器の内部圧力が低下する。このような圧力低下に対して従来は、予め容器の一部に変形可能な箇所を設定し、圧力が低下した時にかかる変形可能部分を変形させて、容器全体の形状を保持させるとともに内部の圧力低下を解消させるようにしていた。
【０００３】
また、蓋を内層と外層の二重構造に成形し、減圧時には内層を外層より剥離させて容器内に吸引させ、外層の形状を保持しつつ容器内部の圧力低下を解消させる発明が知られている。
【０００４】
【特許文献１】特開平１０−６４２８号公報
【発明の開示】
【発明が解決しようとする課題】
【０００５】
しかしながら、予め変形可能部分を容器に設けた場合には、かかる変形部分を外装材で覆ったり、容器の底部に形成するなどして、目立たないようにするが、容器の外観に形状変化が表れてしまい、また容器を開封した場合にはかかる部分が膨張したり、突出してしまうという問題があった。
【０００６】
また蓋材を二重構造にしたものにおいては、外層部分を貫通して通気孔が形成してあるため、外観上不安感を生じさせたり、また蓋体上面から水滴が侵入し、蓋の外層と内層間に水分を貯留させてしまうことが考えられる。
【０００７】
本発明は上記課題を解決し、簡易な構成で容器の内部圧力の変動に対応でき、しかも容器の外観に変化を生じさせることのない圧力対応容器を提供することを目的とする。
【課題を解決するための手段】
【０００８】
本発明は上記課題を解決するため、次のように容器を構成した。
【０００９】
有底筒状の容器底部内面に、容器内の圧力変動に応じて中央部分が移動するようにインモールド成形により一部を剥離可能にラベルを設けた。剥離可能部分には、底部に形成された空気孔を介して空気が出入りし、例えば減圧した場合には移動部分が容器内に引き込まれ、逆に圧力が上昇した場合には押し出される。
【００１０】
具体的には、インモールド成形によりラベルを底部内面に設ける際に、ラベル中央部分を容器の底部に接着せず剥離可能としておく。部分的にラベルを剥離可能とするには、剥離させる部分に予め剥離剤を塗布したり、あるいは、容器底部と接着しない材質でラベルを用意し、底部との接着部分に接着剤を塗布してインモールド成形を行う。
【００１１】
容器内に内容物を密閉したときラベルの剥離可能部分は、底部に密着させていても、予め剥離させ底部との間に空間を形成していてもよい。
【００１２】
これにより、容器内部の圧力が変動すると、ラベルの剥離可能部分が剥離、移動し、圧力変動に対応する。しかもラベルは底部内面に設けられているので、圧力変動に対応してラベルの一部が移動しても容器上面からは見えず、容器の外観になんら不具合を生じさせない。
【００１３】
下向きに突出した球面状に容器底部を形成した。
【００１４】
容器外面にラベルが表示されるように、透明樹脂で容器を成形した。
【発明の効果】
【００１５】
本発明の圧力対応容器は、底部内面に一体に設けられたラベルの一部が剥離可能であるので、容器内部の圧力が変動した際、剥離可能部分が移動し、密封状態を保持したまま圧力変動に対応できる。したがって、容器外形の一部がへこんだり、あるいは膨張したり、内容物を噴出させるなどの不都合を生じさせない。
【００１６】
空気孔が容器の底部に設けられていることから、底部が水に浸かった状態でなければラベルと底部との間の空間に水等が侵入せず、しかも浸入した水が容易に排出される。
【００１７】
容器底部を下向に突出した球面状に形成すると、ラベル自身が伸張することなくラベルの湾曲方向が凹状と凸状との間で反転することにより、容器内部に空間が形成できる。したがってラベルに、伸張性を必要とせず、バリア性が高い素材を使用できる。
【００１８】
容器を透明樹脂から成形すると、ラベルに記載した文字や図柄を容器外面に表示できる。
【００１９】
剥離可能部分を予め底部から剥離させ、ラベルと底部との間に空間を形成しておくと、容器を開封することなく電子レンジ等にて内容物を加熱できる。
【００２０】
インモールド成形によりラベルを一体に設けることができ、少ない工程数と低いコストで圧力対応容器を製造できる。
【００２１】
従来の蓋を用いることができるので、密封方法を変更することなく容器を密封できる。
【発明を実施するための最良の形態】
【００２２】
図１に本発明にかかる圧力対応容器２（以下容器２とする。）を示す。容器２は、上方に開いた円錐台状の樹脂製容器で、上部に外方に延出された縁３を有し、底部４の下部には脚部５が周状に設けてある。
【００２３】
底部４は、下方に凸な球面状に湾曲し、内面には湾曲に沿ってラベル６が一体に設けてある。ラベル６は、可撓性を有する素材からなり、内容物に必要とされるバリア性を適宜有している。
【００２４】
図２に容器２の立面図を示す。図２に示すようにラベル６は外周部分が接着部分７により接着され、接着部分７より内方は底部４に接着されておらず、剥離可能な剥離部分９となっている。尚、底部４は平面状でもよい。
【００２５】
ラベル６は、容器２を成形する際のインモールド成形により底部４へ一体に設ける。すなわち、容器２を成形する成形用金型内にラベル６を予め投入し、金型内に注入した溶融樹脂により、容器２の成形と同時にラベル６が底部４に一体に設けられる。
【００２６】
ラベル６の素材が容器２を形成する樹脂に対して接着する性質を有する場合は、中央の剥離部分９に剥離剤を塗布し、一方ラベル６が成形用樹脂に付着しない素材からなる場合には、ラベル６の接着部分７に成形樹脂に対して接着する性質を有する接着剤を塗布しておく。これにより、剥離部分９を有するラベル６がインモールド成形法によって底部４に一体に設けられる。
【００２７】
ラベル６は伸縮性を必要としないが、底部４を平面状に形成した場合などには、伸縮性を要する。
【００２８】
剥離部分９には、底部４を貫通して空気孔８が開口してある。
【００２９】
容器２を成形したら内容物を充填し、蓋１０で密閉する。蓋１０は、アルミ製、樹脂製、あるいはその他の材質のものでもよく、熱溶着等により縁３に接着する。容器２を密封した後温度降下等により内容物の容量が減少したり、内容物と蓋１０との間の水蒸気が凝集するなどして容器２の内部圧力が低下すると、ラベル６に吸引力が作用する。すると空気孔８から空気が流入し、図３、図４に示すようにラベル６の剥離部分９が底部４から剥離し、ラベル６と底部４との間に空間１２が形成される。空間１２は、剥離部分９の凸状から凹状への反転により形成され、それにより、容器２の内部に生じた圧力低下が緩和される。
【００３０】
このように容器２によれば、容器２の外観になんら影響を与えることなく、内部圧力の低下に適確に対応することができる。
【００３１】
更に、容器２内に内容物を密封した状態で予め剥離部分９を底部４から剥離し、空間１２を形成しておくと、容器２を開封することなく電子レンジ等にて内容物を加熱しても、空間１２が容器２内の圧力上昇に対応するので、容器２の膨張や内容物の噴出等を防止できる。
【００３２】
また、ラベル６に記載した文字や図柄などが容器２の外表面に表示できるように容器２を透明樹脂で成形すると、ラベル６によって底や外面に所望の表示を施すことができる。
【００３３】
尚、上記例では、底部４を球面状に湾曲させたが、本発明は、それに限らず底部４を平面状、あるいは凹状に形成してもよい。かかる場合、ラベル６を適度な伸縮性を有する素材から形成する。また上記実施形態ではラベル６を底部４の全面に設けたが、本発明はこれに限らず、底部４の一部のみでもよく、また容器２の側面にかかるように設けてもよい。
【図面の簡単な説明】
【００３４】
【図１】容器の一実施形態を示す断面図である。
【図２】容器を示す立面図である。
【図３】容器の一実施形態を示す断面図である。
【図４】容器を示す部分断面斜視図である。
【符号の説明】
【００３５】
２    容器
３    縁部
４    底部
５    脚
６    ラベル
７    接着部分
８    空気孔
９    剥離部分
１０  蓋
１２  空間
【図１】
2005313973.tif 000003
【図２】
2005313973.tif 000004
【図３】
2005313973.tif 000005
【図４】
2005313973.tif 000006